(57)【要約】【課題】      周径方向に圧迫感を感じることなく、鼠径部にゆとりがあり、かつ適当に腹部を押えるガードルを提供する。【解決手段】  本体前部の内外の腹部押え布をその上下端でのみ本体部に固定する。  上記腹部押え布の上下端間の寸法を、当該部本体の寸法より１５％程度短くする。  上記腹部押え布と重なる部分の本体下部は、股布とは縫合しない。【選択図】    図３
2005082941.tif 000002
【特許請求の範囲】
【請求項１】
本体と股布と表裏の腹部押え布を有するガードルであって、
本体は、裾に平行する方向に伸縮性を有し、後中心から臀部を覆い脇部から前中心に至るとともに、前中心で左右から連結して縫合され、
裏側腹部押え布は、上下方向に伸縮性を有する素材よりなり、上記本体前部の裏面側に在り、上端が広巾で下方に向かうに従って細巾となるとともに、上端部で上記本体と、下端部で上記股布前部と縫合され左右の両端縁を解放した状態とされ、
表側腹部押え布は、上下方向に伸縮性を有する素材よりなり、上記本体前部の表面側に在り、上端が広巾で下方に向かうに従って細巾となるとともに、上端部は上記本体と縫合されるとともに下端部は上記股布前部に縫合され、左右の両端縁を解放した状態とされていることを特徴とするガードル。
【請求項２】
上記本体は、前中心で左右から連結して略Ｖ字状になるように縫合されていることを特徴とする請求項１に記載のガードル。
【請求項３】
本体と股布と表裏の腹部押え布を有するガードルであって、
本体は、裾に平行する方向に伸縮性を有し、後中心から臀部と大腿部上方とを覆い大腿部内側から前中心に至るとともに前中心で左右から連続し、更に下部は上記股布に縫合され、
裏側腹部押え布は、上下方向に伸縮性を有する素材よりなり、上記本体前部の裏面側に在り、上端が広巾で下方に向かうに従って細巾となるとともに、上端部で上記本体と、下端部で上記股布前部と縫合され、左右の両端縁を解放した状態とされ、
表側腹部押え布は、上下方向に伸縮性を有する素材よりなり、上記本体前部の表面側に在り、上端が広巾で下方に向かうに従って細巾となるとともに、上端部は上記本体と縫合されるとともに下端部は上記股布前部に縫合され、左右の両端縁を解放した状態とされていることを特徴とするガードル。
【請求項４】
上記表面側腹部押え布と上記裏面側腹部押え布の上下の端部間の長さが、当設される本体の寸法より１５％程度短いことを特徴とする、請求項１、請求項２若しくは請求項３に記載のガードル。
【請求項５】
上記表面側腹部押え布と裏面側腹部押え布の中心には、中心部の上下方向の縦伸びを脇部のそれに比較して押えるために上下方向の重ね縫い線が形成されていることを特徴とする請求項１から４のいずれかに記載のガードル。
【発明の詳細な説明】
【技術分野】
【０００１】
本発明は女性用下着に関し、特にガードルのフロントの表裏の腹部押え布の浮かし構造に関する。
【背景技術】
【０００２】
ガードルにおいては、下腹部を適度に押し付けること、またヒップアップ作用を有すること等、美容上からの構造への要請がある。また、単に静止した立位状態は当然として、歩行状態ではそのために隆起する薄筋（大腿の内側を走る細い筋）を過度に押え付けたり、座位状態では偏平になる大腿付根を過度に締め付けたりしないことという着心地からの要請も強い。
【０００３】
これらのため、本体の前部（いわゆるフロント）の表裏あるいは内外面には上部が巾広で下部が狭いいわゆる逆三角形の腹部の押え布（当布）を装備したり、腹部の押え布の左右両端及び大腿付を通る伸縮性のテープを装備したりする等種々の工夫が凝らされている（例えば、以下の特許文献１〜６を参照）
【特許文献１】特許公報平２−２３６０１号公報
【特許文献２】実公告平３−２４５６４号公報
【特許文献３】実公告平３−２４５６５号公報
【特許文献４】実公告平２−１６９６２号公報
【特許文献５】特開２０００−９６３０９号公報
【特許文献６】特開２００１−３０３３０６号公報
【発明の開示】
【発明が解決しようとする課題】
【０００４】
しかしながら、ファッションの多様化に伴い、よりファッション性の高いインナーが求められ、常に圧迫感がなくファッション性に富み、着心地も良好であり、より腹部を押えるという要望が強い。
【０００５】
このため、かかる女性の強い要望を充たしつつ、しかもそれ自体が審美性にも富み、当然低価格のガードルの提供が望まれていた。
【課題を解決するための手段】
【０００６】
本発明は以上の要望を充たすガードルを提供することを目的としてなされたものであり、その目的を達成するため、ガードルのフロントの表裏（内外）に装備されている腹部の押え布の浮かし構造や形状や材質に工夫を凝らしている。具体的には、フロント表裏のいわゆる逆三角形の腹部押え布は、その上端部をフロントに縫合し、下端部は股布の前部に縫合している。一方、左右の両端部は本体とは何等縫合していない。
【０００７】
また、ショートガードルにおいては、前中心から連結して略Ｖ字状になるように本体布と股布を縫合している。
【０００８】
また、フロントの下端かつ表裏の腹部押え布と重なる本体布は、本体布と股布が略Ｖ字状に接しているため、ショートガードルならば股布の前部（前股布付部）に縫合していないし、ロングガードルならば重なる部分のみ縫合等している。
【０００９】
また、表裏の腹部押え布の上下方向の両端縁間の長さを、それらが当設されるあるいは縫合される本体、フロントの寸法より１５％程度（７．５〜３０％、好ましくは１０〜２０％、より好ましくは１３〜１７％）短くしてある。
【００１０】
また、フロントのみならず、本体は特に裾に平行する水平方向に充分な伸縮性を有するものとし、表裏の腹部の押え布は特に上下方向に充分な伸縮性を有するものとしている。
【００１１】
また、表裏の腹部押え布は、その中心に上下方向に走る縫合線を有し、これにより脇部に比較して中心部の上下方向の伸度を弱めている。
【００１２】
以上の構成の下で、表裏の脇部押え布が分担して腹部を適切に押圧することとなる。
【００１３】
また、腹部の中心を上下方向に走る縫合線により、腹部の中心部を効果的に押えることができる。
【００１４】
また、ショートガードルにおいては、略Ｖ字状の本体布を使用し、左右の両端縁を解放している。これらにより、本体、股部押え布、股布の相互の独立性、非拘束性を高めている。
【００１５】
以上の他ショートガードル、ロングガードルの特性に応じて、本体と股布との縫合に相違を持たせている。
【発明を実施するための最良の形態】
【００１６】
【００１７】
本実施の形態は、ショートガードルあるいは通常のガードルに関する。
【００１８】
以下、図１から図３を参照しつつこのショートガードルを説明する。図１は、このショートガードルを着衣者の前方向より見た図、正面図である。ただし、着衣者は示していない。図２は、このショートガードルの前面部、いわゆるフロントを背面より、すなわち着衣者の腹部方向より前面部の裏側を見た図である。図３は、このショートガードルのフロントへの腹部の押え布の浮かしての取付け方の特徴とフロントとの長さの相違を概念的に示すため向って右上方より見た左半分の断面を示す図である。
【００１９】
これら各図において、１は、本体前面部いわゆるフロントに取り付けられた表側の腹部押え布である。２は、フロントの裏側に取り付けられた腹部押え布である。３は、フロントである。４は、股布である。５は、本体の背中側部である。６は、本体上部のかざり部である。７は、ゴム紐部である。
【００２０】
また、１３と１４は各フロントの表側に在る腹部の押え布の上部と本体との縫合部、同じく腹部の押え布の下部と前側股布との縫合部である。１９と２９は、各表裏の腹部押え布の中心の重ね縫い線である。３ｂ、４ｂ、６ｂは各々フロント３と股布４とかざり部６の裏側（ｂａｃｋ）である。６０は、かざり部の背中側である。更に３４は本体の背面側と股布の後部との縫合線である。
【００２１】
これら各図にて判るように、このガードルはフロントの表裏に在るいわゆる逆三角形の腹部の押え布１，２がその上端部（縁）はフロント３の上部に縫合されているが、その下端部はフロントの下部でなく股布４の前部と縫合されている。また、表裏の腹部の押え布間に在るフロントの、すなわち本体の布地３０はその下端は股布４の前部とは縫合されていない。ただし、この本体布は背中側では股布の後部（背中側部）と縫合されている。更に、表裏の腹部の押え布の上下方向の端縁の長さは当該部の本体の布の長さより１５％短くされている。
【００２２】
以上の他、ゴム紐は当然として、この本体部の布は特に裾に平行な方向に良好な伸縮性を有するものとしている。また、表裏の腹部押え布は、特に上下方向に良好な伸縮性を有するものとしている。またこれらの中心の上下方向に走る重ね縫い線部１９、２９は、腹部中心部の縦伸びを押さえ、これにより浮かし構造部分の布の脇部が面で腹部全体を押えるようにしている。
【００２３】
これらの浮かし構造による腹部押え布の取付構造のため、本体における縫合個所が少なくかつ単純となり、各部も独立性が強くなるので歩行時はもちろん座位時、多少の運動をしたりしたときでも、大腿上部を締め付けたりすることがない。
【００２４】
この一方、腹部の押え布が当該部の本体の布より上下方向に１５％短く、かつ上下方向の伸縮性に富むので、腹部をしっかり押えつけ、ヒップアップの維持もなされる。
【００２５】
また、表裏の腹部押え布が共力して腹部を押えるので、本体布による心地よい着用感を損うことなく、裏側の腹部押え布のみで押えるときのような窮屈感を与えることがなく、表側の腹部押え布のみで押えるときのように本体布により押える力が和らげられることがなく、ひいては充分な押え力を確保しえることとなる。
【００２６】
また、表裏の押え布の中心部の上下方向の重ね縫い線により最も矯正したい腹部中心部を線で押え、脇部全体を面でなだらかに押えることとなるので、より一層着心地感も増すこととなる。
【００２７】
本実施の形態はロングガードルに関する。
【００２８】
図４と図５に本実施の形態のロングガードルを示す。図４は着衣者の前方向より見た正面図であり先の実施の形態の図１に相当する。図５は、このショートガードルの前面部の特徴が判るようにした断面の概念図であり、先の実施の形態の図３に相当する。
【００２９】
両図において、３５は本体の左右に在り着衣者の大腿部上方をおおう脚部である。３５４は、股布４の左右の側端部と左右の脚部の上方内側端の縫合部である。３５０は、水平断面がほぼ円形となる脚部の縫合線である。３１はフロントの中心である。
【００３０】
このロングガードルは、図５に示すように左右の脚部の各内側の上端部は股布４の左右の側端に縫合されている。また、表裏の腹部の押え布間にあるフロントの下部も股布４の前端に縫合され更にこの部分の縫合線１４は脚部の縫合線３５０に連なっている。
【００３１】
このロングガードルにおいても、フロントの表裏の腹部の押え布の上、下端部のみを本体と縫合し、押え布の脇線は解放しているので、各部の拘束性が少く、このため着衣者は種々の姿勢をとっても、歩行のみならず多少の運動をしても、大腿部を締め付けることがない。
【００３２】
以上、本発明をその実施の形態に基づいて説明して来たが、本発明は何もこれらに限定されないのは勿論である。すなわち、例えば以下のようにしていてもよい。
上部の飾りを装備していない。
前部の腹部の押え布の中心の重ね縫い線を廃止している。
前部の腹部の押え布の中心の重ね縫い部や両脇部に伸縮度の異なるゴムを入れる等他の構成を付加している。
デザイン等の都合で、表裏の腹部の押え布のフロントや上部の飾り等との縫合は、一体的でなく別個に行っている。
審美性を増すため、本体布表側部に、伸縮性のあるレース等を使用している。
【産業上の利用可能性】
【００３３】
以上の説明で判るように、本発明においては、本体前部の表裏（内外）の腹部の押え布の、少なくとも左右の両端縁部を本体に縫合せず、このため本体における縫合個所が後中心部と前中心部のみとなるので、周径方向に圧迫感を感じることがない。
【００３４】
また、表裏の腹部押え布の上下の両端縁間の長さが当設される本体の寸法より１５％程度短く設定してあるので、周径方向に圧迫感を感じさせずに強い腹部の押え布となる。
【００３５】
また、表裏から腹部押え布が腹部を押えるので、いずれか一方の側でのみ押えるときのような窮屈感や押え力の不足は生じない。
【００３６】
また、中心の重ね縫い線により腹部の中心を、腹部全体を両脇側から面でなだらかに押えるので効果、着心地も増す。
【図面の簡単な説明】
【００３７】
【図１】本発明の第１の実施の形態のショートガードルを正面から見た図である。
【図２】上記ショートガードルの正面部（フロント）の裏面側方向から見た（フロントの裏面の）図である。
【図３】上記ショートガードルの中央部の腹部の押え布の取り付けの特徴とフロントとの長さの相違を概念的に示すため向って右上方より見た左半分の断面を示す図である。
【図４】本発明の第２の実施の形態のロングガードルの正面図である。
【図５】上記ロングガードルの中央部の特徴を概念的に示した上下方向の側断面の図である。
【符号の説明】
【００３８】
１        フロント表側の腹部の押え布
２        フロント裏側の腹部の押え布
３        本体の前面側の表部（フロントの表）
３ｂ      本体の前面側の裏面
４        股布
４ｂ      股布の裏面
５        本体の背中側部
６        本体上部のかざり部
６ｂ      本体上部のかざり部の前面の裏側
７        ゴム紐部
１３      フロント表側の腹部の押え布の上部の本体との縫合線
１４      フロント表側の腹部の押え布の下部の前側股布との縫合線
１９      フロント表側の腹部の押え布の中心の重ね縫い腺
２３      フロント裏側の腹部の押え布の上部の本体との縫合線
２４      フロント裏側の腹部の押え布の下部の前側股布との縫合線
２９      フロント裏側の腹部の押え布の中心の重ね縫い線
３０      フロントの中心（ショートガードル）
３１      フロントの中心（ロングガードル）
３５      ロングガードルの左、右の脚部
６０      本体上部のかざり部の背中側
３５０    ロングガードルの脚部の縫い合せ線
３５４    ロングガードルの股布との縫合線
【図１】
2005082941.tif 000003
【図２】
2005082941.tif 000004
【図３】
2005082941.tif 000005
【図４】
2005082941.tif 000006
【図５】
2005082941.tif 000007